(57)【要約】【課題】欄干照明部及び底部照明部をそれぞれ操作する照明スイッチを、制御盤に容易に取り付けることができ、また、限られた制御盤内の設置領域にあっても比較的余裕をもって取り付けることができるエスカレータの照明装置の提供。【解決手段】本発明は、照明スイッチ１が１つのスイッチから成り、照明スイッチ１の信号を入力する接点３を含むリレー２と、接点３に接続され照明スイッチ１の連続操作によるオン・オフ信号の操作パターンを解析する解析手段４と、欄干照明部９を制御する接点７を含む欄干照明用リレー５と、底部照明部１０を制御する接点８を含む底部照明用リレー６とを備えている。解析手段４は、照明スイッチ１の操作パターンが、予め記憶される所定の信号パターンに合致したときに、欄干照明用リレー５及び底部照明用リレー６のうちの該当するものを、欄干照明部９または底部照明部１０を作動させるように制御する。【選択図】図１
2014080264.tif 000002
【特許請求の範囲】
【請求項１】
欄干を照らす欄干照明部と、下方を照らす底部照明部と、前記欄干照明部と前記底部照明部のそれぞれを、点灯操作または消灯操作する照明スイッチとを備えたエスカレータの照明装置において、
前記照明スイッチは１つのスイッチから成り、
前記照明スイッチの信号を入力する入力手段と、この入力手段を介して入力された前記照明スイッチの連続操作によるオン・オフ信号の操作パターンを解析する解析手段と、前記欄干照明部を制御する欄干照明用リレーと、前記底部照明部を制御する底部照明用リレーとを備え、
前記解析手段は、前記照明スイッチの前記操作パターンが、予め記憶される所定の信号パターンに合致したときに、前記欄干照明用リレー及び底部照明用リレーのうちの該当するものを、前記欄干照明部または前記底部照明部を作動させるように制御することを特徴とするエスカレータの照明装置。
【請求項２】
請求項１に記載のエスカレータの照明装置において、
前記解析手段には、前記所定の信号パターンとして、前記欄干照明部を消灯させる欄干照明消灯用パターン、及び前記底部照明部を消灯させる底部照明消灯用パターンを予め記憶させてあり、
前記解析手段は、前記照明スイッチの前記操作パターンが、前記欄干照明消灯用パターンに合致したときに、前記欄干照明用リレーを前記欄干照明部を消灯させるように制御し、前記照明スイッチの前記操作パターンが、前記底部照明消灯用パターンに合致したときに、前記底部照明用リレーを前記底部照明部を消灯させるように制御することを特徴とするエスカレータの照明装置。
【請求項３】
請求項１または２に記載のエスカレータの照明装置において、
前記解析手段には、前記所定の信号パターンとして、前記欄干照明部を点灯させる欄干照明点灯用パターン、及び前記底部照明部を点灯させる底部照明点灯用パターンを予め記憶させてあり、
前記解析手段は、前記照明スイッチの前記操作パターンが、前記欄干照明点灯用パターンに合致したときに、前記欄干照明用リレーを前記欄干照明部を点灯させるように制御し、前記照明スイッチの前記操作パターンが、前記底部照明点灯用パターンに合致したときに、前記底部照明用リレーを前記底部照明部を点灯させるように制御することを特徴とするエスカレータの照明装置。
【発明の詳細な説明】
【技術分野】
【０００１】
本発明は、欄干を照らす欄干照明部と、下方を照らす底部照明部と、これらの欄干照明部と底部照明部を点灯操作または消灯操作する照明スイッチとを備えたエスカレータの照明装置に関する。
【背景技術】
【０００２】
この種の従来技術として特許文献１に示されるものがある。この従来技術は、エスカレータのステップの両側に立設される欄干を照らす欄干照明部と、下方に位置するエスカレータを照らす底部照明部と、欄干照明部を点灯操作または消灯操作する照明スイッチと、底部照明部を点灯操作または消灯操作する別の照明スイッチとを備え、前述の各照明スイッチを制御盤の一箇所の操作スイッチ部に配置した構成となっている。
【先行技術文献】
【特許文献】
【０００３】
【特許文献１】実開昭５１−２６６９４号公報
【発明の概要】
【発明が解決しようとする課題】
【０００４】
前述した従来技術は、欄干照明部を操作する照明スイッチと底部照明部を操作する別の照明スイッチとを制御盤に設けることから、制御盤に照明スイッチを配置するための穴あけ加工等の数が多くなる。また、制御盤上の狭い操作スイッチ部の領域に比較的大きな占有領域を必要とする２つの照明スイッチを配置しなければならないことから、制御盤への照明スイッチの取り付け作業が煩雑になりやすい。これらのことから従来技術にあっては、照明スイッチを制御盤に取り付ける作業工数が増加し、取り付け費用が高くなる問題がある。
【０００５】
既設のエスカレータに欄干照明部及び底部照明部を設置することを考えて、既設のエスカレータの制御盤内に前述した従来技術の照明スイッチを取り付けようとすると、前述したように制御盤上の狭い領域に２つの照明スイッチを配置しなければならないことからその実現が難しくなることが起こり得る。
【０００６】
また、従来技術は前述のように、制御盤上の狭い領域内に２つの照明スイッチを配置しなければならないことから、照明スイッチの配置スペースに余裕がなくなり、これによって照明スイッチが配置される制御盤の意匠性が低下してしまう懸念がある。
【０００７】
本発明は、前述した従来技術における実情からなされたもので、その目的は、欄干照明部及び底部照明部をそれぞれ操作する照明スイッチを、制御盤に容易に取り付けることができ、また、限られた制御盤内の設置領域にあっても比較的余裕をもって取り付けることができるエスカレータの照明装置を提供することにある。
【課題を解決するための手段】
【０００８】
前記目的を達成するために、本発明に係るエスカレータの照明装置は、欄干を照らす欄干照明部と、下方を照らす底部照明部と、前記欄干照明部と前記底部照明部のそれぞれを、点灯操作または消灯操作する照明スイッチとを備えたエスカレータの照明装置において、前記照明スイッチは１つのスイッチから成り、前記照明スイッチの信号を入力する入力手段と、この入力手段を介して入力された前記照明スイッチの連続操作による操作パターンを解析する解析手段と、前記欄干照明部を制御する欄干照明用リレーと、前記底部照明部を制御する底部照明用リレーとを備え、前記解析手段は、前記照明スイッチの前記操作パターンが、予め記憶される所定の信号パターンに合致したときに、前記欄干照明用リレー及び底部照明用リレーのうちの該当するものを、前記欄干照明部または前記底部照明部を作動させるように制御することを特徴としている。
【発明の効果】
【０００９】
本発明は、欄干照明部と底部照明部の双方の操作を１つの照明スイッチを設けることによって実現させることができる。したがって本発明は、制御盤に照明スイッチを容易に取り付けることができ、照明スイッチを取り付ける作業工数を少なくすることができ、従来に比べて照明スイッチの取り付け費用を低減できる。また本発明は、制御盤に１つの照明スイッチを取り付ければ済むので既設のエスカレータの照明スイッチの設置スペースに制約を受けやすい制御盤にも、欄干照明部と底部照明部を操作する照明スイッチを取り付けることができる。また本発明は、制御盤に１つの照明スイッチを配置すればよいので、限られた制御盤内の設置領域にあっても比較的余裕をもって照明スイッチを取り付けることができ、照明スイッチが配置される制御盤の意匠性を従来に比べて向上させることができる。
【図面の簡単な説明】
【００１０】
【図１】本発明に係るエレベータの照明装置の一実施形態を示す電気回路図である。
【図２】本実施形態における消灯時の動作を示すフローチャートである。
【図３】本実施形態における点灯時の動作を示すフローチャートである。
【発明を実施するための形態】
【００１１】
以下、本発明に係るエスカレータの照明装置の実施の形態を図面に基づいて説明する。
【００１２】
図１に示すように、本実施形態に係る照明装置は、オン・オフ信号を出力する１つの照明スイッチ１と、この照明スイッチ１に接続されたリレー２とを備えている。接点３を含むリレー２によって、照明スイッチ１のオン・オフ信号を入力する入力手段が構成されている。
【００１３】
また、本実施形態は、入力手段に接続させて、すなわちリレー２の接点３に接続させて、照明スイッチ１の連続操作によるオン・オフ信号の操作パターンを解析する解析手段４を備えている。
【００１４】
また、本実施形態は、解析手段４にそれぞれ接続された欄干照明用リレー５と底部照明用リレー６とを備えている。欄干照明用リレー５の接点７は、踏段の両側に立設される欄干を照らす欄干照明部９に接続され、底部照明用リレー６の接点８は、下方に配置されたエスカレータを照らす底部照明部１０に接続されている。
【００１５】
本実施形態は、連続操作による照明スイッチのオン・オフ信号の操作パターンの暗号化を行ったものである。欄干照明部９の消灯を実現させる操作パターン、欄干照明部９の点灯を実現させる操作パターン、底部照明部１０の消灯を実現させる操作パターン、及び底部照明部１０の点灯を実現させる操作パターンのそれぞれは、照明スイッチ１を操作する者などにより予め決められている。
【００１６】
解析手段４は、照明スイッチ１の操作パターンが、予め記憶される所定の信号パターンに合致したときに、欄干照明用リレー５及び底部照明用リレー６のうちの該当するものを、欄干照明部９または底部照明部１２を作動させるように制御する。
【００１７】
例えば、解析手段４には、所定の信号パターンとして、欄干照明部９を消灯させる欄干照明消灯用パターン、及び底部照明部１０を消灯させる底部照明消灯用パターンを予め記憶させてある。
【００１８】
解析手段４は、照明スイッチ１の前述した操作パターンが、予め記憶された欄干照明消灯用パターンに合致したときに、欄干照明用リレー５を欄干照明部９を消灯させるように制御する。
【００１９】
また、この解析手段４は、照明スイッチ１の前述した操作パターンが、予め記憶された底部照明消灯用パターンに合致したときに、底部照明用リレー６を底部照明部１０を消灯させるように制御する。
【００２０】
また例えば、解析手段４には、所定の信号パターンとして、欄干照明部９を点灯させる欄干照明点灯用パターン、及び底部照明部１０を点灯させる底部照明点灯用パターンも予め記憶させてある。
【００２１】
解析手段４は、照明スイッチ１の前述した操作パターンが、予め記憶された欄干照明点灯用パターンに合致したときに、欄干照明用リレー５を欄干照明部９を点灯させるように制御する。
【００２２】
また、この解析手段４は、照明スイッチ１の前述した操作パターンが、予め記憶された底部照明点灯用パターンに合致したときに、底部照明用リレー６を底部照明部１０を点灯させるように制御する。
【００２３】
以下、このような構成を有する本実施形態に係る照明装置の動作について説明する。
【００２４】
［消灯時の動作］
今、例えば、欄干照明部９及び底部照明部１０のそれぞれが点灯状態にあるものとする。このような状態において図２に示すように、解析手段４は、照明スイッチ１が所定時間「切」状態になっているかどうか、すなわちリレー２の接点３が動作せず、照明スイッチ１の信号が入力されていない状態かどうか判定する（ステップＳ１）。所定時間「切」になっていると判定したときには、解析手段４は、接点７を開とするように欄干照明用リレー５を制御し、接点８を開とするように底部照明用リレー６を制御する。これにより、欄干照明部９と底部照明部１０の双方が消灯する（ステップＳ２）。
【００２５】
ステップＳ１の判定で、照明スイッチ１が所定時間「切」状態にはなっていないと判定されたときには、解析手段４は、所定時間内に照明スイッチ１が操作されたかどうか判定し（ステップＳ３）、操作されたと判定したときには、照明スイッチ１の操作パターンが予め記憶された欄干照明消灯用パターンに合致したかどうかを判定する（ステップＳ４）。合致したと判定されたときには、解析手段４は、接点７を開とするように欄干照明用リレー５を制御する。これにより、欄干照明部９のみが消灯する（ステップＳ５）。
【００２６】
ステップＳ４の判定で、照明スイッチ１の操作パターンが予め記憶された欄干照明消灯用パターンに合致しないと判定されたときには、照明スイッチ１の操作パターンが予め記憶された底部照明消灯用パターンに合致したかどうかを判定する（ステップＳ６）。合致したと判定されたときには、解析手段４は、接点８を開とするように底部照明用リレー６を制御する。これにより、底部照明部１０のみが消灯する（ステップＳ７）。
【００２７】
ステップＳ３の判定で、照明スイッチ１が所定時間内に操作されていないと判定されたとき、及びステップＳ６の判定で、照明スイッチ１の操作パターンが底部照明消灯用パターンに合致していないと判定されたときには、解析手段４は、接点７を閉とするように欄干照明用リレー５を制御し、接点８を閉とするように底部照明用リレー６を制御する。これにより、欄干照明部９と底部照明部１０の双方は、点灯状態が継続するように維持される（ステップＳ８）。
【００２８】
［点灯灯時の動作］
今、例えば、欄干照明部９及び底部照明部１０のそれぞれが消灯状態にあるものとする。このような状態において図３に示すように、解析手段４は、照明スイッチ１が所定時間「入」状態になっているかどうか、すなわちリレー２の接点３が動作せず、照明スイッチ１の信号が入力されていない状態かどうか判定する（ステップＳ１１）。所定時間「入」になっていると判定したときには、解析手段４は、接点７を閉とするように欄干照明用リレー５を制御し、接点８を閉とするように底部照明用リレー６を制御する。これにより、欄干照明部９と底部照明部１０の双方が点灯する（ステップＳ１２）。
【００２９】
ステップＳ１１の判定で、照明スイッチ１が所定時間「入」状態にはなっていないと判定されたときには、解析手段４は、所定時間内に照明スイッチ１が操作されたかどうか判定し（ステップＳ１３）、操作されたと判定したときには、照明スイッチ１の操作パターンが予め記憶された欄干照明点灯用パターンに合致したかどうかを判定する（ステップＳ１４）。合致したと判定されたときには、解析手段４は、接点７を閉とするように欄干照明用リレー５を制御する。これにより、欄干照明部９のみが点灯する（ステップＳ１５）。
【００３０】
ステップＳ１４の判定で、照明スイッチ１の操作パターンが予め記憶された欄干照明点灯用パターンに合致しないと判定されたときには、照明スイッチ１の操作パターンが予め記憶された底部照明点灯用パターンに合致したかどうかを判定する（ステップＳ１６）。合致したと判定されたときには、解析手段４は、接点８を閉とするように底部照明用リレー６を制御する。これにより、底部照明部１０のみが点灯する（ステップＳ１７）。
【００３１】
ステップＳ１３の判定で、照明スイッチ１が所定時間内に操作されていないと判定されたとき、及びステップＳ１６の判定で、照明スイッチ１の操作パターンが底部照明点灯用パターンに合致していないと判定されたときには、解析手段４は、接点７を開とするように欄干照明用リレー５を制御し、接点８を開とするように底部照明用リレー６を制御する。これにより、欄干照明部９と底部照明部１０の双方は、消灯状態が継続するように維持される（ステップＳ１８）。
【００３２】
以上のように構成した本実施形態によれば、欄干照明部９と底部照明部１０の双方の操作を１つの照明スイッチ１を設けることによって実現させることができる。したがって本実施形態は、図示しない制御盤に照明スイッチ１を容易に取り付けることができ、照明スイッチ１を取り付ける作業工数を少なくすることができ、照明スイッチ１の取り付け費用を低減できる。また本実施形態は、制御盤に１つの照明スイッチ１を取り付けるだけで済むので、既設のエスカレータの照明スイッチの設置スペースに制約を受けやすい制御盤にも、欄干照明部９と底部照明部１０を操作するに照明スイッチ１を取り付けることができる。また本実施形態は、制御盤に１つの照明スイッチ１を配置すればよいので、限られた制御盤内の設置領域にあっても比較的余裕をもって照明スイッチ１を取り付けることができ、照明スイッチ１が配置される制御盤の意匠性を向上させることができる。
【符号の説明】
【００３３】
１    照明スイッチ
２    リレー
３    接点
４    解析手段
５    欄干照明用リレー
６    底部照明用リレー
７    接点
８    接点
９    欄干照明部
１０  底部照明部    
【図１】
2014080264.tif 000003
【図２】
2014080264.tif 000004
【図３】
2014080264.tif 000005